【手続補正書】
【提出日】令和1年7月9日(2019.7.9)
【手続補正１】
【補正対象書類名】明細書
【補正対象項目名】００６６
【補正方法】変更
【補正の内容】
【００６６】
本発明は、今のところ最も実践的かつ好ましい実施態様であるとみなされるものに関連して説明されてきたが、本発明は、開示の実施態様に限定されないことが当業者には明白であろう。本開示の主旨及び範囲から逸脱することなく、多くの変更態様及び等価な配列がなされてよく、このような範囲は、全ての均等物の構造及び製品を包含するように、添付の特許請求の範囲の最も広範な解釈を与えることが、当業者には容易に明白になるであろう。その他に、実施態様の様々な例の特徴又は態様は、(このような組合せが明示的に本明細書で説明されないとしても)本発明の範囲を逸脱することなく、併用され、一致してよい。
本件出願は、以下の構成の発明を提供する。
（構成１）
統合されたモバイル駐車場アプリケーション及びスマート駐車メータシステムであって、
それぞれが駐車スペースを自動監視するように構成される複数の駐車メータと、
プロセッサ、メモリ、及びグラフィカルユーザインターフェースを備えるユーザコンピューティングデバイスであって、該ユーザコンピューティングデバイスは、該複数の駐車メータとネットワーク接続され、該ユーザコンピューティングデバイスは、
該複数の駐車メータのうちの特定の1つに、駐車時間のリクエストを送信すること、
該複数の駐車メータのうちの該特定の1つから、購入確認を受信すること、及び
該複数の駐車メータのうちの該特定の1つの駐車タイマのカウントダウンに同期させる、残っている購入された駐車時間を監視すること
を行うように構成される、該ユーザコンピューティングデバイスと
を備える、前記システム。
（構成２）
前記ユーザコンピューティングデバイスが、前記複数の駐車メータから駐車状態に関するリアルタイムデータを取得すること、及び駐車場が利用可能であるメータのマップ又はリストを前記ユーザに提示することを行うようにさらに構成される、構成1記載の前記システム。
（構成３）
前記ユーザコンピューティングデバイスが、駐車場がまもなく利用可能になる予定の前記メータのマップ又はリストを前記ユーザに提示するようにさらに構成される、構成2記載の前記システム。
（構成４）
前記ユーザコンピューティングデバイスが、該ユーザコンピューティングデバイスに備わっているマップアプリケーションを起動して、駐車場が利用可能である前記メータのマップ又はリスト上で前記ユーザに提示される該利用可能なメータのうちの1つに該ユーザを案内するようにさらに構成される、構成3記載の前記システム。
（構成５）
前記ユーザコンピューティングデバイスが、前記複数の駐車メータのうちの前記特定の1つに予約リクエストを送信するようにさらに構成され、該複数の駐車メータのうちの該特定の1つが、該予約リクエストに応答して、状態を利用不可能に変更するように構成される、構成3記載の前記システム。
（構成６）
前記ユーザコンピューティングデバイスが、該ユーザのコンピューティングデバイスに備わっているマップアプリケーションを起動して、前記ユーザが前記購入確認を受信した前記複数の駐車メータのうちの前記特定の1つの場所に該ユーザを案内するようにさらに構成される、構成1記載の前記システム。
（構成７）
前記複数の駐車メータと前記ユーザコンピューティングシステムとにネットワーク接続された中央コンピュータシステムをさらに含み、該中央制御コンピュータは、該複数の駐車メータのうちの前記特定の1つと、該ユーザコンピューティングデバイスとの間のデータ交換を促進する、構成1記載の前記システム。
（構成８）
前記ユーザコンピューティングデバイスが、前記複数の駐車メータのうちの前記特定の1つに追加駐車時間のリクエストを送信すること、該複数の駐車メータのうちの該特定の1つから追加購入確認を受信すること、及び該複数の駐車メータのうちの該特定の1つの前記駐車タイマのカウントダウンに同期させる、前記残っている購入された駐車時間を増やすことを行うようにさらに構成される、構成1記載の前記システム。
（構成９）
前記ユーザコンピューティングデバイスが、該ユーザコンピューティングデバイスの全地球測位システムの場所、及び該ユーザコンピューティングデバイスから前記複数の駐車メータのそれぞれへの最短距離に基づいて、該複数の駐車メータのうちの前記特定の1つを指定するようにさらに構成される、構成1記載の前記システム。
（構成１０）
前記ユーザコンピューティングデバイスが、前記複数の駐車メータのうちの前記特定の1つによって取得されたライセンスプレート識別データと、該ユーザコンピューティングデバイスを介して前記ユーザによって入力されたライセンスプレートデータとの一致に基づいて、該複数の駐車メータのうちの該特定の1つを指定するようにさらに構成される、構成1記載の前記システム。
（構成１１）
前記ユーザコンピューティングデバイスが、前記複数の駐車メータのうちの前記特定の1つが、駐車違反が発生したと決定した場合に、駐車違反通告を前記ユーザに提示するようにさらに構成される、構成1記載の前記システム。
（構成１２）
駐車イベントを遂行する方法であって、
前記複数の駐車メータのうちの特定の1つに、駐車時間のリクエストを送信することと、
該複数の駐車メータのうちの該特定の1つから、購入確認を受信することと、
該複数の駐車メータのうちの該特定の1つの駐車タイマのカウントダウンに同期させる、残っている購入された駐車時間を監視することと
を含む、前記方法。
（構成１３）
前記複数の駐車メータから駐車状態に関するリアルタイムデータを取得すること、及び駐車場が利用可能であるメータのマップ又はリストを前記ユーザに提示することをさらに含む、構成12記載の前記方法。
（構成１４）
駐車場がまもなく利用可能になる予定のメータのマップ又はリストを前記ユーザに提示することをさらに含む、構成13記載の前記方法。
（構成１５）
前記ユーザのコンピューティングデバイスに備わっているマップアプリケーションを起動して、駐車場が利用可能である前記メータのマップ又はリスト上で前記ユーザに提示される該利用可能なメータのうちの1つに該ユーザを案内することをさらに含む、構成13記載の前記方法。
（構成１６）
前記複数の駐車メータのうちの前記特定の1つに予約リクエストを送信すること、及び該予約リクエストに応答して、該複数の駐車メータのうちの該特定の1つの前記状態を利用不可能に変更することをさらに含む、構成13記載の前記方法。
（構成１７）
前記ユーザのコンピューティングデバイスに備わっているマップアプリケーションを起動して、前記ユーザが前記購入確認を受信した前記複数の駐車メータのうちの前記特定の1つの場所に該ユーザを案内することをさらに含む、構成12記載の前記方法。
（構成１８）
前記複数の駐車メータと前記ユーザコンピューティングデバイスとにネットワーク接続された中央制御コンピュータを介して、該複数の駐車メータのうちの前記特定の1つと、該ユーザコンピューティングデバイスとの間のデータ交換を促進することをさらに含む、構成12記載の前記方法。
（構成１９）
前記ユーザコンピューティングデバイスによって、前記複数の駐車メータのうちの前記特定の1つに追加駐車時間のリクエストを送信することと、
該ユーザコンピューティングデバイスによって、該複数の駐車メータのうちの該特定の1つから追加購入確認を受信することと、
該複数の駐車メータのうちの該特定の1つの前記駐車タイマのカウントダウンに同期させる、該ユーザコンピューティングデバイスによって指示された、前記残っている購入された駐車時間を増やすことと
をさらに含む、構成12記載の前記方法。
（構成２０）
前記ユーザコンピューティングデバイスの全地球測位システムの場所、及び該ユーザコンピューティングデバイスから前記複数の駐車メータのそれぞれへの最短距離に基づいて、該複数の駐車メータのうちの前記特定の1つを指定することをさらに含む、構成12記載の前記方法。
（構成２１）
前記複数の駐車メータのうちの前記特定の1つによってライセンスプレートデータを取得することと、
前記ユーザコンピューティングデバイスを介して前記ユーザによってライセンスプレートデータを入力することと、
該複数の駐車メータのうちの該特定の1つによって取得された該ライセンスプレート識別データと、該ユーザコンピューティングデバイスを介して該ユーザによって入力された該ライセンスプレートデータとの一致に基づいて、該複数の駐車メータのうちの該特定の1つを指定することと
をさらに含む、構成12記載の前記方法。